(57)【要約】【課題】  広帯域の信号を通過させた際に信号の劣化を防ぐ、チャージドメインフィルタ回路を提供する。【解決手段】    周波数特性がＳＩＮＣ関数特性を有するＳＩＮＣフィルタ回路１４０と、ＳＩＮＣフィルタ回路１４０の後段に接続され、所定の周波数を中心周波数とする周波数特性を有するＢＰＦ１６０と、を含み、ＢＰＦ１６０は、ＳＩＮＣフィルタ回路１４０のクロックに同期して、以前のサンプリング出力の一部を現在のサンプリング出力から減算して、ＳＩＮＣフィルタ回路１４０の周波数特性を補償することを特徴とする、チャージドメインフィルタ回路１２０が提供される。【選択図】    図１
2007324659.tif 000002
【特許請求の範囲】
【請求項１】
周波数特性がＳＩＮＣ関数であるＳＩＮＣフィルタと；
前記ＳＩＮＣフィルタの後段に接続され、所定の周波数を中心周波数とする周波数特性を有するバンドパスフィルタと；
を含むことを特徴とする、チャージドメインフィルタ回路。
【請求項２】
前記バンドパスフィルタは、前記ＳＩＮＣフィルタのクロックに同期して、以前のサンプリング出力の一部を現在のサンプリング出力から減算する事を特徴とする、請求項１に記載のチャージドメインフィルタ回路。
【請求項３】
前記ＳＩＮＣフィルタは、
現在のサンプリング出力を得る第１のＳＩＮＣフィルタと；
以前のサンプリング出力を得る第２のＳＩＮＣフィルタと；
を含み、差動信号のサンプリングを実施できることを特徴とする、請求項２に記載のチャージドメインフィルタ回路。
【請求項４】
前記バンドパスフィルタの前記中心周波数は、前記ＳＩＮＣフィルタのサンプリング周波数を１／ｔとした場合に、１／２ｎｔ（ｎは正の整数）であることを特徴とする、請求項１に記載のチャージドメインフィルタ回路。
【請求項５】
前記バンドパスフィルタは、２クロック前のサンプリング出力の一部を現在のサンプリング出力から減算することにより、１／４ｔの中心周波数を得ることを特徴とする、請求項４に記載のチャージドメインフィルタ回路。
【請求項６】
前記バンドパスフィルタの伝達関数は、前記バンドパスフィルタの係数をαとして、
【数１】
2007324659.tif 000006
で表されることを特徴とする、請求項５に記載のチャージドメインフィルタ回路。
【請求項７】
前記バンドパスフィルタは、１クロック前のサンプリング出力の一部を現在のサンプリング出力から減算することにより、１／２ｔの中心周波数を得ることを特徴とする、請求項４に記載のチャージドメインフィルタ回路。
【請求項８】
前記バンドパスフィルタの伝達関数は、前記バンドパスフィルタの係数をαとして、
【数２】
2007324659.tif 000007
で表されることを特徴とする、請求項７に記載のチャージドメインフィルタ回路。
【発明の詳細な説明】
【技術分野】
【０００１】
本発明は、チャージドメインフィルタ回路に関する。
【背景技術】
【０００２】
ＲＦ（Ｒａｄｉｏ  Ｆｒｅｑｕｅｎｃｙ；高周波）回路とデジタル回路とを、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）回路の一つのチップに収めた、無線通信用ＳｏＣ（Ｓｙｓｔｅｍ  Ｏｎ  Ｃｈｉｐ）において、ＲＦ回路を小型化および低消費電力化するために、高速クロックによる電流モードサンプリングや、スイッチト・キャパシタ回路などのアナログ離散時間信号処理技術を用いて、フィルタリングやデシメーションを行う技術の開発が行われている（非特許文献１参照）。
【０００３】
また、オペアンプを用いずに、トランスコンダクタとスイッチだけで、周波数特性がＳＩＮＣ関数特性を有するＳＩＮＣフィルタ回路を構成する、チャージドメインフィルタ回路が考案されている（非特許文献２参照）。以下、ＳＩＮＣフィルタ回路を構成するチャージドメインフィルタ回路について説明する。
【０００４】
図１０は、従来のＳＩＮＣフィルタ回路を構成するチャージドメインフィルタ回路の構成について説明する説明図である。図１０に示したように、従来のＳＩＮＣフィルタ回路を構成するチャージドメインフィルタ回路１０は、トランスコンダクタ１２と、第１のスイッチ１４と、第２のスイッチ１６と、第３のスイッチ１８と、キャパシタ２０ａ、２０ｂ、２０ｃ、２０ｄと、を含んで構成される。
【０００５】
図１１は、図１０に示したチャージドメインフィルタ回路１０に印加するクロック信号のタイミングチャートについて説明する説明図である。図１１に示した４種類の位相の異なるクロック信号φ１、φ２、φ３、φ４は、チャージドメインフィルタ回路１０の第１のスイッチ１４、第２のスイッチ１６および第３のスイッチ１８の動作を制御するためのものである。
【０００６】
トランスコンダクタ１２は、入力信号の電圧に比例した電流を出力するものである。
【０００７】
第１のスイッチ１４は、トランスコンダクタ１２からの出力電流を各キャパシタに印加してキャパシタの充電を行う際に、充電を行うキャパシタを選択するためのものである。図１０に示したチャージドメインフィルタ回路１０においては、第１のスイッチ１４は４種類のクロック信号φ１、φ２、φ３、φ４によって端子が切り換えられ、端子が切り換えられることによって各キャパシタの充電を行う。
【０００８】
第２のスイッチ１６は、残留した電荷を取り除いてリセットを行うキャパシタを選択するためのものである。図１０に示したチャージドメインフィルタ回路１０においては、第２のスイッチ１６は４種類のクロック信号φ１、φ２、φ３、φ４によって端子が切り換えられる。第２のスイッチ１６の端子を切り換えることで各キャパシタが接地され、キャパシタに過去の信号による電荷が残留しないように、残留した電荷を取り除いてリセットを行う。
【０００９】
第３のスイッチ１８は、各キャパシタに充電された電荷を後段の回路に出力するために、キャパシタを選択するためのものである。図１０に示したチャージドメインフィルタ回路１０においては、第３のスイッチ１８は４種類のクロック信号φ１、φ２、φ３、φ４によって端子が切り換えられ、端子が切り換えられることによって、各キャパシタに充電された電荷は後段の回路に出力される。
【００１０】
第１のスイッチ１４、第２のスイッチ１６、および第３のスイッチ１８に示した端子φ１、φ２、φ３、φ４は、クロック信号φ１、φ２、φ３、φ４がそれぞれオンになった際に接続される端子を意味している。
【００１１】
トランスコンダクタ１２が出力する入力信号の電圧に比例した電流は、第１のスイッチ１４によって選択された１つのキャパシタに時間ｔだけ印加される。時間ｔだけ印加された結果、チャージドメインフィルタ回路１０は、選択されたキャパシタに蓄えられた電荷が後段の回路に出力されることでサンプリングされる。例えば、第１のキャパシタ２０ａは、クロック信号φ１によって第１のスイッチ１４が制御されてトランスコンダクタ１２から出力される電流によって充電されると、クロック信号φ２によって第３のスイッチ１８が制御されて、蓄えられた電荷を後段の回路に出力する。そして第１のキャパシタ２０ａは、クロック信号φ４によって第２のスイッチが制御されて接地されることで、残留していた電荷を放出してリセットされる。
【００１２】
キャパシタ２０ａ、２０ｂ、２０ｃ、２０ｄは、第１のスイッチ１４、第２のスイッチ１６、第３のスイッチ１８の動作によって、時間ｔでのサンプリング動作をそれぞれ繰り返す。入力信号が矩形の時間窓ｔによってサンプリングされるため、チャージドメインフィルタ回路１０の周波数特性は図１２に示したような特性を有する。図１２に示したように、チャージドメインフィルタ回路１０の周波数特性はＳＩＮＣ関数のような特性を有することから、この回路はＳＩＮＣフィルタ回路と呼ばれる。
【００１３】
【非特許文献１】L.Richard Carley and Tamal Mukherjee, "High-Speed Low-PowerIntegrating CMOS Sample-and-Hold Amplifier Architecture," Proceedings ofIEEE 1995 Custom Integrated Circuits Conference, pp 543-546, May 1995.
【非特許文献２】J. Yuan, "A Charge Sampling Mixer with Embedded Filter Functionfor Wireless Applications", Proceedings of IEEE 2000 InternationalConference on Microwave and Millimeter Wave Technology, pp. 315-318, Sept.,2000.
【発明の開示】
【発明が解決しようとする課題】
【００１４】
図１２に示したように、ＳＩＮＣフィルタ回路は低域の周波数領域の信号を通過させる特性を有している。しかし、図１２に示したＳＩＮＣフィルタ回路の周波数特性には、周波数が低域の部分においては平坦な部分が存在しない。そのため、例えば１／４ｔ程度の広帯域の信号をＳＩＮＣフィルタ回路で通過させようとすると、高域成分が減衰してしまう。すなわち、ＳＩＮＣフィルタ回路で信号を通過させる際に、信号が劣化してしまい、広帯域の信号のフィルタリングには不向きである問題があった。
【００１５】
そこで、本発明は、このような問題に鑑みてなされたもので、その目的とするところは、高域成分が劣化しない、新規かつ改良された、チャージドメインフィルタ回路を提供することにある。
【課題を解決するための手段】
【００１６】
上記課題を解決するために、本発明のある観点によれば、周波数特性がＳＩＮＣ関数特性を有するＳＩＮＣフィルタと、ＳＩＮＣフィルタの後段に接続され、所定の周波数を中心周波数とする周波数特性を有するバンドパスフィルタと、を含むことを特徴とする、チャージドメインフィルタ回路が提供される。
【００１７】
かかる構成によれば、ＳＩＮＣフィルタはＳＩＮＣ関数特性を持つ周波数特性を有し、バンドパスフィルタは、所定の周波数を中心周波数とする周波数特性を有する。その結果、原信号の高域成分を劣化させることなくに信号を通過させることができる。
【００１８】
バンドパスフィルタは、ＳＩＮＣフィルタのクロックに同期して、以前のサンプリング出力の一部を現在のサンプリング出力から減算してもよい。かかる構成によれば、バンドパスフィルタはＳＩＮＣフィルタの出力の一部を減算する。その結果、上記バンドパスフィルタを消費電力の少ないエコノミーなＩＩＲフィルタとして構成できる。
【００１９】
ＳＩＮＣフィルタは、現在のサンプリング出力を得る第１のＳＩＮＣフィルタと、以前のサンプリング出力を得る第２のＳＩＮＣフィルタと、を含み、差動信号のサンプリングを実施できるようにしてもよい。かかる構成によれば、第１のＳＩＮＣフィルタは現在のサンプリング出力を得て、第２のＳＩＮＣフィルタは以前のサンプリング出力を得る。その結果、ＳＩＮＣフィルタは差動回路を実施できる。
【００２０】
バンドパスフィルタの中心周波数は、ＳＩＮＣフィルタ回路のサンプリング周波数を１／ｔとした場合に、１／２ｎｔ（ｎは正の整数）であってもよい。かかる構成によれば、バンドパスフィルタはＳＩＮＣフィルタ回路の出力の一部を減算する。その結果、１／２ｎｔ程度までの周波数領域において、平坦な波形を得ることができる。
【００２１】
バンドパスフィルタは、２クロック前のサンプリング出力の一部を現在のサンプリング出力から減算することにより、１／４ｔの中心周波数を得るようにしてもよい。かかる構成によれば、バンドパスフィルタはＳＩＮＣフィルタの出力の一部を減算する。その結果、１／４ｔ程度までの周波数領域において平坦な波形を得ることができる。また、上記バンドパスフィルタの伝達関数は、
【数１】
2007324659.tif 000003
で表されるものであってもよい。
【００２２】
バンドパスフィルタは、１クロック前のサンプリング出力の一部を現在のサンプリング出力から減算することにより、１／２ｔの中心周波数を得るようにしてもよい。かかる構成によれば、バンドパスフィルタはＳＩＮＣフィルタの出力の一部を減算する。その結果、遅延素子の係数を変えるだけで、１／２ｔ程度までの周波数領域において平坦な波形を得ることができる。また、上記バンドパスフィルタの伝達関数は、
【数２】
2007324659.tif 000004
で表されるものであってもよい。
【発明の効果】
【００２３】
以上説明したように本発明によれば、高域成分が劣化しない、新規かつ改良された、チャージドメインフィルタ回路を提供できるものである。
【発明を実施するための最良の形態】
【００２４】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２５】
（第１の実施形態）
従来技術に係るＳＩＮＣフィルタ回路の後段に、ＢＰＦ（Ｂａｎｄ−Ｐａｓｓ  Ｆｉｌｔｅｒ；バンドパスフィルタ）を接続することによって、１／４ｔまでの周波数帯域を平坦に補償することで高域成分が劣化しないチャージドメインフィルタ回路を構成する。
【００２６】
図１は、本発明の第１の実施形態に係るＢＰＦの構成について説明する説明図である。図１に示したように、本発明の第１の実施形態に係るＢＰＦ１１０は、加算器１１２と、乗算器１１３と、遅延素子１１４と、を含んで構成される。
【００２７】
加算器１１２は、ＢＰＦ１１０に入力される入力信号から遅延素子１１４の出力を減算して出力するものである。乗算器１１３は、加算器１１２からの出力に、所定の比率の係数を乗じて出力する。遅延素子１１４は、乗算器１１３からの出力を入力し、２クロック（サンプリングクロック）遅延させて出力している。
【００２８】
ここでは、ＢＰＦ１１０を以下の伝達関数により表す。
【数３】
2007324659.tif 000005
【００２９】
図２は、図１に示したＢＰＦ１１０において、サンプリング周期ｔ＝１ｎｓ、乗算器１１３の係数α＝０．２とした場合における周波数特性を示す説明図である。ＢＰＦ１１０の遅延素子１１４で２クロック遅延させることで、ＢＰＦ１１０は図２に示したような周波数特性を有する。ＢＰＦ１１０は、１／４ｔ＝２５０ＭＨｚに中心周波数を有する周波数特性を有する。
【００３０】
図２に示したような周波数特性を有するＢＰＦを、ＳＩＮＣフィルタ回路の後段に接続することによって、ＳＩＮＣフィルタ回路の周波数特性を平坦に補償することが可能になり、ＳＩＮＣフィルタ回路に信号を通過させる際の信号の劣化を抑えることが可能となる。以下、本発明の第１の実施形態にかかるチャージドメインフィルタ回路の構成について説明する。
【００３１】
図３は、本発明の第１の実施形態にかかるチャージドメインフィルタ回路について説明する説明図である。図３に示したように、本発明の第１の実施形態にかかるチャージドメインフィルタ回路１２０は、トランスコンダクタ１３０と、ＳＩＮＣフィルタ回路１４０と、ＢＰＦ１６０と、を含んで構成される。以下、本発明の第１の実施形態に係るチャージドメインフィルタ回路について説明する。
【００３２】
トランスコンダクタ１３０は、２本の入力端子と２本の出力端子を有しており、入力信号の電圧に比例した電流を出力する。
【００３３】
ＳＩＮＣフィルタ回路１４０はさらに第１のＳＩＮＣフィルタ回路１４０ａおよび第２のＳＩＮＣフィルタ回路１４０ｂを含み、２つのＳＩＮＣフィルタ回路で、一方は原信号を、他方は原信号を位相反転した信号をサンプリングしている。ここで、差動信号をサンプリングしている理由は、後から原信号を位相反転した信号を減算信号として利用するためである。ＳＩＮＣフィルタ回路１４０は、第１のスイッチ１４２ａ、１４２ｂと、第２のスイッチ１４４ａ、１４４ｂと、第３のスイッチ１４６ａ、１４６ｂと、キャパシタ１４８ａ、１４８ｂ、１４８ｃ、１４８ｄ、１５０ａ、１５０ｂ、１５０ｃ、１５０ｄと、を含んで構成されている。
【００３４】
第１のスイッチ１４２ａおよび１４２ｂは、充電対象のキャパシタを選択するためのスイッチである。第１のスイッチ１４２ａおよび１４２ｂによって、トランスコンダクタ１３０からの出力電流をＳＩＮＣフィルタ回路１４０の各キャパシタに印加してキャパシタの充電を行う際に、充電を行うキャパシタを選択する。図３に示した、本実施形態に係るチャージドメインフィルタ回路１２０においては、第１のスイッチ１４２ａおよび１４２ｂは、４種類のクロック信号によって端子が切り換えられ、トランスコンダクタ１３０からの出力電流によって、切り換えられた端子に接続されたキャパシタの充電を行う。
【００３５】
第２のスイッチ１４４ａおよび１４４ｂは、リセット対象のキャパシタを選択するためのスイッチである。第２のスイッチ１４４ａおよび１４４ｂによって、ＳＩＮＣフィルタ回路１４０の各キャパシタの残留電荷を取り除くためのリセットを行う際に、リセットを行うキャパシタを選択する。図３に示した、本実施形態に係るチャージドメインフィルタ回路１２０においては、第２のスイッチ１４４ａおよび１４４ｂは、４種類のクロック信号によって端子が切り換えられて、キャパシタに過去の信号による電荷が残留しないように、切り換えられた端子に接続されたキャパシタのリセットを行う。
【００３６】
第３のスイッチ１４６ａおよび１４６ｂは、電荷を出力するキャパシタを選択するためのスイッチである。第３のスイッチ１４６ａおよび１４６ｂによって、ＳＩＮＣフィルタ回路１４０の各キャパシタに充電された電荷を後段の回路に出力するために、電荷を出力するキャパシタを選択する。図３に示した、本実施形態に係るチャージドメインフィルタ回路１２０においては、第３のスイッチ１４６ａおよび１４６ｂは、４種類のクロック信号によって端子が切り換えられて、切り換えられた端子に接続されたキャパシタに充電された電荷を後段の回路に出力する。
【００３７】
キャパシタ１４８ａ、１４８ｂ、１４８ｃ、１４８ｄ、１５０ａ、１５０ｂ、１５０ｃ、１５０ｄは、電荷を蓄積するものである。キャパシタ１４８ａ、１４８ｂ、１４８ｃ、１４８ｄ、１５０ａ、１５０ｂ、１５０ｃ、１５０ｄは、同じ容量を有していることが望ましい。
【００３８】
ＢＰＦ１６０は、図１に示したＢＰＦ１１０をキャパシタとスイッチによる回路にしたものであり、所定の範囲の周波数の信号だけを通過させ、それ以外の範囲の周波数の信号を減衰させるフィルタである。ＢＰＦ１６０は、第１のスイッチ１６２ａ、第２のスイッチ１６２ｂ、第３のスイッチ１６２ｃ、第４のスイッチ１６２ｄと、キャパシタ１６４ａ、１６４ｂ、１６４ｃ、１６４ｄと、を含んで構成される。
【００３９】
第１のスイッチ１６２ａ、第２のスイッチ１６２ｂ、第３のスイッチ１６２ｃ、第４のスイッチ１６２ｄは、それぞれキャパシタ１６４ａ、１６４ｂ、１６４ｃ、１６４ｄに対して放電および充電を行うためのものである。第１のスイッチ１６２ａ、第２のスイッチ１６２ｂ、第３のスイッチ１６２ｃ、第４のスイッチ１６２ｄは、それぞれ４つの端子を有しており、第１のスイッチ１６２ａ、第２のスイッチ１６２ｂ、第３のスイッチ１６２ｃ、第４のスイッチ１６２ｄに入力される４種類のクロック信号によって接続する対象となる端子が変わり、接続される端子が変わることでキャパシタ１６４ａ、１６４ｂ、１６４ｃ、１６４ｄの放電や充電が制御される。
【００４０】
キャパシタ１６４ａ、１６４ｂ、１６４ｃ、１６４ｄは電荷の保持のためのものであり、４つのキャパシタは同じ容量を有している。第１のスイッチ１６２ａ、第２のスイッチ１６２ｂ、第３のスイッチ１６２ｃ、第４のスイッチ１６２ｄの動作によって、電荷を放出したり、ＳＩＮＣフィルタ回路１４０から出力される電流によって電荷を蓄えたりすることができる。
【００４１】
以上、本発明の第１の実施形態に係るチャージドメインフィルタ回路の構成について説明した。次に、本発明の第１の実施形態に係るチャージドメインフィルタ回路の動作について説明する。
【００４２】
本発明の第１の実施形態に係るチャージドメインフィルタ回路は、図１１に示したようなクロック信号によって、各スイッチの動作が制御される。本発明の第１の実施形態に係るチャージドメインフィルタ回路の動作を制御するクロック信号は、φ１、φ２、φ３、φ４の４種類のクロック信号からなる。
【００４３】
第１のスイッチ１４２ａおよび１４２ｂ、第２のスイッチ１４４ａおよび１４４ｂ、第３のスイッチ１４６ａおよび１４６ｂ並びにＢＰＦ１６０の第１のスイッチ１６２ａ、第２のスイッチ１６２ｂ、第３のスイッチ１６２ｃ、第４のスイッチ１６２ｄは、４種類のクロック信号によって端子が切り換えられる。それぞれのスイッチに示した端子φ１、φ２、φ３、φ４は、クロック信号φ１、φ２、φ３、φ４がそれぞれオンになった際に接続される端子を意味している。以下、４種類のクロック信号をφ１、φ２、φ３、φ４とし、それぞれのクロック信号が入力された時に接続される端子をφ１、φ２、φ３およびφ４に対応する端子として説明する。
【００４４】
まず、チャージドメインフィルタ回路１２０にクロック信号φ１が入力されると、第１のスイッチ１４２ａおよび１４２ｂは、クロック信号φ１に対応する端子に接続される。第１のスイッチ１４２ａおよび１４２ｂがクロック信号φ１に対応する端子に時間ｔだけ接続されることで、トランスコンダクタ１３０からの出力電流によって、時間ｔの間、キャパシタ１４８ａおよび１５０ａの充電が行われる。
【００４５】
また、チャージドメインフィルタ回路１２０にクロック信号φ１が入力されたとき、第２のスイッチ１４４ａおよび１４４ｂも、クロック信号φ１に対応する端子に接続される。第２のスイッチ１４４ａおよび１４４ｂが、クロック信号φ１に対応する端子に時間ｔだけ接続されることで、キャパシタ１４８ｂおよび１５０ｂに残留していた電荷が放出されてリセットされる。
【００４６】
そして、チャージドメインフィルタ回路１２０にクロック信号φ１が入力されたとき、第３のスイッチ１４６ａおよび１４６ｂも、クロック信号φ１に対応する端子に接続される。第３のスイッチ１４６ａおよび１４６ｂがクロック信号φ１に対応する端子に時間ｔだけ接続されることで、キャパシタ１４８ｄおよび１５０ｄに蓄えられていた電荷は、時間ｔの間、後段の回路に出力される。
【００４７】
一方、チャージドメインフィルタ回路１２０にクロック信号φ１が入力されたとき、ＢＰＦ１６０の第１のスイッチ１６２ａ、第２のスイッチ１６２ｂ、第３のスイッチ１６２ｃ、第４のスイッチ１６２ｄも、それぞれクロック信号φ１に対応する端子に接続される。クロック信号φ１に対応する端子に接続されることで、キャパシタ１６４ａと１６４ｂは電荷を保持し、キャパシタ１６４ｄは第１のＳＩＮＣフィルタ回路１４０ａからの電流によって電荷を蓄える。そしてキャパシタ１６４ｃは、差動信号の逆相側となる第２のＳＩＮＣフィルタ回路１４０ｂの出力端子に接続される。このとき、キャパシタ１６４ｄには、キャパシタ１４８ｄとキャパシタ１６４ｄとの静電容量の比に応じて、キャパシタ１４８ｄの電荷がチャージされる。
【００４８】
キャパシタ１６４ｃが、差動信号の逆相側となる第２のＳＩＮＣフィルタ回路１４０ｂの出力端子に接続されることで、ＢＰＦ１６０はＳＩＮＣフィルタ回路１４０からの出力を減算することができる。
【００４９】
時間ｔが経過して、クロック信号φ１の入力が終わると、次にクロック信号φ２がチャージドメインフィルタ回路１２０に入力される。
【００５０】
チャージドメインフィルタ回路１２０にクロック信号φ２が入力されると、第１のスイッチ１４２ａおよび１４２ｂはクロック信号φ２に対応する端子に接続される。第１のスイッチ１４２ａおよび１４２ｂがクロック信号φ２に対応する端子に時間ｔだけ接続されることで、トランスコンダクタ１３０からの出力電流によって、時間ｔの間、キャパシタ１４８ｂおよび１５０ｂの充電が行われる。
【００５１】
また、チャージドメインフィルタ回路１２０にクロック信号φ２が入力されたとき、第２のスイッチ１４４ａおよび１４４ｂも、クロック信号φ２に対応する端子に接続される。第２のスイッチ１４４ａおよび１４４ｂがクロック信号φ２に対応する端子に時間ｔだけ接続されることで、キャパシタ１４８ｃ、１５０ｃに残留していた電荷が放出されてリセットされる。
【００５２】
そして、チャージドメインフィルタ回路１２０にクロック信号φ２が入力されたとき、第３のスイッチ１４６ａおよび１４６ｂも、クロック信号φ２に対応する端子に接続される。第３のスイッチ１４６ａおよび１４６ｂがクロック信号φ２に対応する端子に時間ｔだけ接続されることで、クロック信号φ１の入力によってキャパシタ１４８ａおよび１５０ａに蓄えられていた電荷は、時間ｔの間、後段の回路に出力される。
【００５３】
一方、チャージドメインフィルタ回路１２０にクロック信号φ２が入力されたとき、ＢＰＦ１６０の第１のスイッチ１６２ａ、第２のスイッチ１６２ｂ、第３のスイッチ１６２ｃ、第４のスイッチ１６２ｄも、それぞれクロック信号φ２に対応する端子に接続される。クロック信号φ２に対応する端子に接続されることで、キャパシタ１６４ｃと１６４ｄは電荷を保持し、キャパシタ１６４ａは第１のＳＩＮＣフィルタ回路１４０ａからの電流によって電荷を蓄える。そしてキャパシタ１６４ｂは、差動信号の逆相側となる、第２のＳＩＮＣフィルタ回路１４０ｂの出力端子に接続される。
【００５４】
時間ｔが経過して、クロック信号φ２の入力が終わると、次にクロック信号φ３がチャージドメインフィルタ回路１２０に入力される。
【００５５】
チャージドメインフィルタ回路１２０にクロック信号φ３が入力されると、第１のスイッチ１４６ａおよび１４６ｂはクロック信号φ３に対応する端子に接続される。第１のスイッチ１４６ａおよび１４６ｂがクロック信号φ３に対応する端子に時間ｔだけ接続されることで、トランスコンダクタ１３０からの出力電流によって、時間ｔの間、キャパシタ１４８ｃおよび１５０ｃの充電が行われる。
【００５６】
また、チャージドメインフィルタ回路１２０にクロック信号φ３が入力されたとき、第２のスイッチ１４４ａおよび１４４ｂも、クロック信号φ３に対応する端子に接続される。第２のスイッチ１４４ａおよび１４４ｂがクロック信号φ３に対応する端子に時間ｔだけ接続されることで、キャパシタ１４８ｄおよび１５０ｄに残留していた電荷が放出されてリセットされる。
【００５７】
そして、チャージドメインフィルタ回路１２０にクロック信号φ３が入力されたとき、第３のスイッチ１４６ａおよび１４６ｂも、クロック信号φ３に対応する端子に接続される。第３のスイッチ１４６ａおよび１４６ｂがクロック信号φ３に対応する端子に時間ｔだけ接続されることで、クロック信号φ２の入力によってキャパシタ１４８ｂおよび１５０ｂに蓄えられていた電荷は、時間ｔの間、後段の回路に出力される。
【００５８】
一方、チャージドメインフィルタ回路１２０にクロック信号φ３が入力されたとき、ＢＰＦ１６０の第１のスイッチ１６２ａ、第２のスイッチ１６２ｂ、第３のスイッチ１６２ｃ、第４のスイッチ１６２ｄも、それぞれクロック信号φ３に対応する端子に接続される。クロック信号φ３に対応する端子に接続されることで、１６４ａと１６４ｂは電荷を保持し、キャパシタ１６４ｃは第１のＳＩＮＣフィルタ回路１４０ａからの電流によって電荷を蓄える。そしてキャパシタ１６４ｄは、差動信号の逆相側となる第２のＳＩＮＣフィルタ回路１４０ｂの出力端子に接続される。
【００５９】
時間ｔが経過して、クロック信号φ３の入力が終わると、次にクロック信号φ４がチャージドメインフィルタ回路１２０に入力される。
【００６０】
チャージドメインフィルタ回路１２０にクロック信号φ４が入力されると、第１のスイッチ１４２ａおよび１４２ｂは、クロック信号φ４に対応する端子に接続される。第１のスイッチ１４２ａおよび１４２ｂがクロック信号φ４に対応する端子に時間ｔだけ接続されることで、トランスコンダクタ１３０からの出力電流によって、時間ｔの間、キャパシタ１４８ｄおよび１５０ｄの充電が行われる。
【００６１】
また、チャージドメインフィルタ回路１２０にクロック信号φ４が入力されたとき、第２のスイッチ１４４ａおよび１４４ｂも、クロック信号φ４に対応する端子に接続される。第２のスイッチ１４４ａおよび１４４ｂが、クロック信号φ４に対応するに時間ｔだけ接続されることで、キャパシタ１４８ａおよび１５０ａに残留していた電荷が放出されてリセットされる。
【００６２】
そして、チャージドメインフィルタ回路１２０にクロック信号φ４が入力されたとき、第３のスイッチ１４６ａおよび１４６ｂも、クロック信号φ４に対応する端子に接続される。第３のスイッチ１４６ａおよび１４６ｂがクロック信号φ４に対応する端子に時間ｔだけ接続されることで、クロック信号φ３の入力によってキャパシタ１４８ｃおよび１５０ｃに蓄えられていた電荷は、時間ｔの間、後段の回路に出力される。
【００６３】
一方、チャージドメインフィルタ回路１２０にクロック信号φ４が入力されたとき、ＢＰＦ１６０の第１のスイッチ１６２ａ、第２のスイッチ１６２ｂ、第３のスイッチ１６２ｃ、第４のスイッチ１６２ｄも、それぞれクロック信号φ２に対応する端子に接続される。クロック信号φ２に対応する端子に接続されることで、キャパシタ１６４ｃと１６４ｄは電荷を保持し、キャパシタ１６２ｂは第１のＳＩＮＣフィルタ回路１４０ａからの電流によって電荷を蓄える。そしてキャパシタ１６４ａは、差動信号の逆相側となる、第２のＳＩＮＣフィルタ回路１４０ｂの出力端子に接続される。
【００６４】
時間ｔが経過して、クロック信号φ４の入力が終わると、次にクロック信号φ１がチャージドメインフィルタ回路１２０に入力される。このように、チャージドメインフィルタ回路１２０はクロック信号φ１〜φ４の入力が繰り返される。
【００６５】
ＳＩＮＣフィルタ回路１４０の後段にＢＰＦ１６０を接続することにより、ＳＩＮＣフィルタ回路１４０の出力をＢＰＦ１６０で減算することができ、その減算の度合は、ＳＩＮＣフィルタ回路１４０の各キャパシタの容量と、ＢＰＦ１６０の各キャパシタの容量との比で定められた割合で決まる。
【００６６】
このように、ＳＩＮＣフィルタ回路１４０の出力をＢＰＦ１６０で補正することによって、チャージドメインフィルタ回路１２０の周波数特性をほぼ平坦に補償することができる。図４は、本発明の第１の実施形態に係るチャージドメインフィルタ回路の周波数特性について示す説明図である。
【００６７】
符号１７０は、補正を行う前のＳＩＮＣフィルタ回路１４０の周波数特性を示し、符号１７２は、ＢＰＦ１６０の周波数特性を示している。そして、符号１７４はＢＰＦ１６０で補正した後のチャージドメインフィルタ回路１２０の周波数特性を示している。サンプリング周期ｔを１ｎｓとした場合、ＳＩＮＣフィルタ回路１４０は１ＧＨｚ付近に急峻なノッチを生じている。そして、ＢＰＦ１６０は２５０ＭＨｚ付近に中心周波数がある周波数特性を有する。
【００６８】
そして、ＳＩＮＣフィルタ回路１４０の周波数特性をＢＰＦ１６０で補償することによって、符号１７４のように、およそ２００ＭＨｚ付近まで平坦な周波数特性を持てるようになる。
【００６９】
なお、本実施形態においては、ＳＩＮＣフィルタ回路１４０の各キャパシタと、ＢＰＦ１６０の各キャパシタとの容量比は１：０．０４５に設定した。キャパシタの容量比を１：０．０４５に設定することで、図４のように周波数特性を補償することができる。
【００７０】
以上説明したように、本発明の第１の実施形態に係るチャージドメインフィルタ回路によれば、帯域の広い信号を通過させる際に、高域成分が減衰せず、信号を劣化させずに伝送することができる。すなわち、周波数特性が平坦な利用できる領域を広げることができる。
【００７１】
（第２の実施形態）
第１の実施形態では、１／４ｔまでの周波数帯域を平坦に補償することで高域成分が劣化しないチャージドメインフィルタ回路を構成した。第２の実施形態では、１／２ｔまでの周波数帯域を平坦に補償することで高域成分が劣化しないチャージドメインフィルタ回路を構成する。
【００７２】
図５は、本発明の第２の実施形態に係るＢＰＦのブロック構成について説明する説明図である。図５に示したように、本発明の第２の実施形態に係るＢＰＦ２１０は、加算器２１２と、乗算器２１３と、遅延素子２１４と、を含んで構成される。
【００７３】
加算器２１２は、第１の実施形態に係る加算器１１２と同様に、ＢＰＦ２１０に入力される入力信号から遅延素子２１４の出力を減算して出力する。乗算器２１３は、加算器２１２からの出力に所定の係数を乗じて出力する。遅延素子２１４は、乗算器２１３からの出力を入力し、１クロックだけ遅延させて出力している。
【００７４】
図６は、図５に示したＢＰＦ２１０において、サンプリング周期ｔ＝１ｎｓ、乗算器２１３の係数α＝０．２とした場合における周波数特性を示す説明図である。ＢＰＦ２１０の遅延素子２１４で１クロック遅延させることで、ＢＰＦ２１０は図６に示したように、１／２ｔ＝５００ＭＨｚに中心周波数を有する。
【００７５】
図５のようなＢＰＦを、ＳＩＮＣ関数のような周波数特性を有するＳＩＮＣフィルタ回路の後段に接続することによって、信号の劣化を抑えることができる。以下、本発明の第２の実施形態にかかるチャージドメインフィルタ回路の構成について説明する。
【００７６】
図７は、本発明の第２の実施形態に係るチャージドメインフィルタ回路について説明する説明図である。図７に示したように、本発明の第２の実施形態にかかるチャージドメインフィルタ回路２２０は、トランスコンダクタ１３０と、ＳＩＮＣフィルタ回路１４０と、ＢＰＦ２６０と、を含んで構成される。
【００７７】
トランスコンダクタ１３０およびＳＩＮＣフィルタ回路１４０は、第１の実施形態に係るトランスコンダクタ１３０およびＳＩＮＣフィルタ回路１４０と実質的に同一であるため、詳細な説明は割愛する。
【００７８】
ＢＰＦ２６０は、ある周波数範囲の周波数の信号だけを通過させ、それ以外の周波数の信号を減衰させるフィルタである。本実施形態に係るＢＰＦ２６０は、第１の実施形態に係るＢＰＦ１６０とは異なり、第１のスイッチ２６２ａおよび第２のスイッチ２６２ｂと、キャパシタ２６４ａ、２６４ｂとを含んで構成される。
【００７９】
第１のスイッチ２６２ａおよび第２のスイッチ２６２ｂは、キャパシタ２６４ａ、２６４ｂに対して放電および充電の選択を行うためのものである。第１のスイッチ２６２ａおよび第２のスイッチ２６２ｂは、それぞれ４つの端子を有しており、第１のスイッチ２６２ａおよび第２のスイッチ２６２ｂに入力される信号によって接続する対象となる端子が変わり、接続される端子が変わることでキャパシタ２６４ａ、２６４ｂの放電や充電が制御される。
【００８０】
キャパシタ２６４ａ、２６４ｂは電荷の保持のためのものであり、第１のスイッチ２６２ａおよび第２のスイッチ２６２ｂの動作によって、電荷を放出したり、ＳＩＮＣフィルタ回路１４０からの出力によって電荷を蓄えたりすることができる。
【００８１】
以上、本発明の第２の実施形態に係るチャージドメインフィルタ回路の構成について説明した。次に、本発明の第２の実施形態に係るチャージドメインフィルタ回路の動作について説明する。
【００８２】
図８は、本発明の第２の実施形態に係るチャージドメインフィルタ回路の動作を制御するクロック信号について説明する説明図である。図８に示したように、本発明の第２の実施形態に係るチャージドメインフィルタ回路の動作を制御するクロック信号は、φ１、φ２、φ３、φ４、φ５およびφ６の６種類のクロック信号からなる。
【００８３】
クロック信号φ１〜φ４は、第１の実施形態同様に、ＳＩＮＣフィルタ回路１４０の第１のスイッチ１４２ａおよび１４２ｂ、第２のスイッチ１４４ａおよび１４４ｂ、第３のスイッチ１４６ａおよび１４６ｂの動作の制御を行う。これとは別に、クロック信号φ５およびφ６は、ＢＰＦ２６０の第１のスイッチ２６２ａおよび第２のスイッチ２６２ｂの操作の制御を行う。
【００８４】
すなわち、第１のスイッチ１４２ａおよび１４２ｂ、第２のスイッチ１４４ａおよび１４４ｂ、第３のスイッチ１４６ａおよび１４６ｂは、それぞれのクロック信号φ１〜φ４に対応する端子に接続され、第１のスイッチ２６２ａおよび第２のスイッチ２６２ｂはクロック信号φ５、φ６に対応する端子に接続される。以下、それぞれのクロック信号が入力された時に接続される端子をφ１、φ２、φ３およびφ４に対応する端子として説明する。
【００８５】
まず、チャージドメインフィルタ回路２２０にクロック信号φ１が入力されると、第１のスイッチ１４２ａおよび１４２ｂは、クロック信号φ１に対応する端子に接続される。第１のスイッチ１４２ａおよび１４２ｂがクロック信号φ１に対応する端子に時間ｔだけ接続されることで、トランスコンダクタ１３０からの出力電流によって、時間ｔの間、キャパシタ１４８ａおよび１５０ａの充電が行われる。
【００８６】
また、チャージドメインフィルタ回路２２０にクロック信号φ１が入力されたとき、第２のスイッチ１４４ａおよび１４４ｂも、クロック信号φ１に対応する端子に接続される。第２のスイッチ１４４ａおよび１４４ｂが、クロック信号φ１に対応する端子に時間ｔだけ接続されることで、キャパシタ１４８ｂおよび１５０ｂに残留していた電荷が放出されてリセットされる。
【００８７】
そして、チャージドメインフィルタ回路２２０にクロック信号φ１が入力されたとき、第３のスイッチ１４６ａおよび１４６ｂも、クロック信号φ１に対応する端子に接続される。第３のスイッチ１４６ａおよび１４６ｂが、クロック信号φ１に対応する端子に時間ｔだけ接続されることで、キャパシタ１４８ｄおよび１５０ｄに蓄えられていた電荷は、時間ｔの間、後段の回路に出力される。
【００８８】
一方、チャージドメインフィルタ回路２２０にクロック信号φ５が入力されたとき、ＢＰＦ２６０の第１のスイッチ２６２ａおよび第２のスイッチ２６２ｂは、それぞれクロック信号φ５に対応する端子に接続される。クロック信号φ５に対応する端子に接続されることで、キャパシタ２６４ａは第１のＳＩＮＣフィルタ回路１４０ａからの電流によって電荷を蓄える。そしてキャパシタ２６４ｂは、差動信号の逆相側となる、第２のＳＩＮＣフィルタ回路１４０ｂの出力端子に接続される。
【００８９】
キャパシタ２６４ａが、差動信号の逆相側となる第２のＳＩＮＣフィルタ回路１４０ｂの出力端子に接続されることで、ＢＰＦ２６０はＳＩＮＣフィルタ回路１４０からの出力を減算することができる。
【００９０】
時間ｔが経過して、クロック信号φ１およびφ５の入力が終わると、次にクロック信号φ２およびφ６がチャージドメインフィルタ回路２２０に入力される。
【００９１】
チャージドメインフィルタ回路２２０にクロック信号φ２が入力されると、第１のスイッチ１４２ａおよび１４２ｂは、クロック信号φ２に対応する端子に接続される。第１のスイッチ１４２ａおよび１４２ｂがクロック信号φ２に対応する端子に時間ｔだけ接続されることで、トランスコンダクタ１３０からの出力電流によって、時間ｔの間、キャパシタ１４８ｂおよび１５０ｂの充電が行われる。
【００９２】
また、チャージドメインフィルタ回路２２０にクロック信号φ２が入力されたとき、第２のスイッチ１４４ａおよび１４４ｂも、クロック信号φ２に対応する端子に接続される。第２のスイッチ１４４ａおよび１４４ｂが、クロック信号φ２に対応する端子に時間ｔだけ接続されることで、キャパシタ１４８ｃおよび１５０ｃに残留していた電荷が放出されてリセットされる。
【００９３】
そして、チャージドメインフィルタ回路２２０にクロック信号φ２が入力されたとき、第３のスイッチ１４６ａおよび１４６ｂも、クロック信号φ２に対応する端子に接続される。第３のスイッチ１４６ａおよび１４６ｂが、クロック信号φ２に対応する端子に時間ｔだけ接続されることで、クロック信号φ１の入力によってキャパシタ１４８ａおよび１５０ａに蓄えられていた電荷は、時間ｔの間、後段の回路に出力される。
【００９４】
一方、チャージドメインフィルタ回路２２０にクロック信号φ６が入力されたとき、ＢＰＦ２６０の第１のスイッチ２６２ａおよび第２のスイッチ２６２ｂは、それぞれクロック信号φ６に対応する端子に接続される。クロック信号φ６に対応する端子に接続されることで、キャパシタ２６２ｂは第１のＳＩＮＣフィルタ回路１４０ａからの電流によって電荷を蓄える。そしてキャパシタ２６４ａは、差動信号の逆相側となる、第２のＳＩＮＣフィルタ回路１４０ｂの出力端子に接続される。
【００９５】
時間ｔが経過して、クロック信号φ２およびφ６の入力が終わると、次にクロック信号φ３およびφ５がチャージドメインフィルタ回路２２０に入力される。
【００９６】
チャージドメインフィルタ回路２２０にクロック信号φ３が入力されると、第１のスイッチ１４２ａおよび１４２ｂは、クロック信号φ３に対応する端子に接続される。第１のスイッチ１４２ａおよび１４２ｂが、クロック信号φ３に対応する端子に時間ｔだけ接続されることで、トランスコンダクタ１３０からの出力電流によって、時間ｔの間、キャパシタ１４８ｃおよび１５０ｃの充電が行われる。
【００９７】
また、チャージドメインフィルタ回路２２０にクロック信号φ３が入力されたとき、第２のスイッチ１４４ａおよび１４４ｂも、クロック信号φ３に対応する端子に接続される。第２のスイッチ１４４ａおよび１４４ｂが、クロック信号φ３に対応する端子に時間ｔだけ接続されることで、キャパシタ１４８ｄおよび１５０ｄに残留していた電荷が放出されてリセットされる。
【００９８】
そして、チャージドメインフィルタ回路２２０にクロック信号φ３が入力されたとき、第３のスイッチ１４６ａおよび１４６ｂも、クロック信号φ３に対応する端子に接続される。第３のスイッチ１４６ａおよび１４６ｂが、クロック信号φ３に対応する端子に時間ｔだけ接続されることで、クロック信号φ２の入力によってキャパシタ１４８ｂおよび１５０ｂに蓄えられていた電荷は、時間ｔの間、後段の回路に出力される。
【００９９】
一方、チャージドメインフィルタ回路２２０にクロック信号φ５が入力されたとき、ＢＰＦ２６０の第１のスイッチ２６２ａおよび第２のスイッチ２６２ｂは、それぞれクロック信号φ５に対応する端子に接続される。クロック信号φ５に対応する端子に接続されることで、キャパシタ２６４ａは第１のＳＩＮＣフィルタ回路１４０ａからの電流によって電荷を蓄える。そしてキャパシタ２６４ｂは、差動信号の逆相側となる、第２のＳＩＮＣフィルタ回路１４０ｂの出力端子に接続される。
【０１００】
時間ｔが経過して、クロック信号φ３およびφ５の入力が終わると、次にクロック信号φ４およびφ６がチャージドメインフィルタ回路２２０に入力される。
【０１０１】
チャージドメインフィルタ回路２２０にクロック信号φ４が入力されると、第１のスイッチ１４２ａおよび１４２ｂは、クロック信号φ４に対応する端子に接続される。第１のスイッチ１４２ａおよび１４２ｂが、クロック信号φ４に対応する端子に時間ｔだけ接続されることで、トランスコンダクタ１３０からの出力電流によって、時間ｔの間、キャパシタ１４８ｄおよび１５０ｄの充電が行われる。
【０１０２】
また、チャージドメインフィルタ回路２２０にクロック信号φ４が入力されたとき、第２のスイッチ１４４ａおよび１４４ｂも、クロック信号φ４に対応する端子に接続される。第２のスイッチ１４４ａおよび１４４ｂが、クロック信号φ４に対応する端子に時間ｔだけ接続されることで、キャパシタ１４８ａおよび１５０ａに残留していた電荷が放出される。
【０１０３】
そして、チャージドメインフィルタ回路２２０にクロック信号φ４が入力されたとき、第３のスイッチ１４６ａおよび１４６ｂも、クロック信号φ４に対応する端子に接続される。第３のスイッチ１４６ａおよび１４６ｂが、クロック信号φ４に対応する端子に時間ｔだけ接続されることで、クロック信号φ３の入力によってキャパシタ１４８ｃおよび１５０ｃに蓄えられていた電荷は、時間ｔの間、後段の回路に出力される。
【０１０４】
一方、チャージドメインフィルタ回路２２０にクロック信号φ６が入力されたとき、ＢＰＦ２６０の第１のスイッチ２６２ａおよび第２のスイッチ２６２ｂは、それぞれクロック信号φ６に対応する端子に接続される。クロック信号φ６に対応する端子に接続されることで、キャパシタ２６２ｂは第１のＳＩＮＣフィルタ回路１４０ａからの電流によって電荷を蓄える。そしてキャパシタ２６４ａは、差動信号の逆相側となる、第２のＳＩＮＣフィルタ回路１４０ｂの出力端子に接続される。
【０１０５】
時間ｔが経過して、クロック信号φ４およびφ６の入力が終わると、次にクロック信号φ１およびφ５がチャージドメインフィルタ回路２２０に入力される。このように、チャージドメインフィルタ回路２２０へのクロック信号φ１〜φ４およびφ５、φ６の入力を繰り返す。
【０１０６】
本発明の第２の実施形態においても、ＳＩＮＣフィルタ回路１４０の後段にＢＰＦ２６０を接続することにより、ＳＩＮＣフィルタ回路１４０の出力をＢＰＦ２６０で減算することができ、その減算の度合は、ＳＩＮＣフィルタ回路１４０の各キャパシタの容量と、ＢＰＦ２６０の各キャパシタの容量との比で定められた割合で決まる。
【０１０７】
このように、ＳＩＮＣフィルタ回路１４０の出力をＢＰＦ２６０で補正することによって、チャージドメインフィルタ回路２２０の周波数特性を平坦に補償することができる。図９は、本発明の第２の実施形態に係るチャージドメインフィルタ回路の周波数特性について示す説明図である。
【０１０８】
符号２７０は、補正を行う前のＳＩＮＣフィルタ回路１４０の周波数特性を示し、符号２７２は、ＢＰＦ２６０の周波数特性を示している。そして、符号２７４はＢＰＦ２６０でＳＩＮＣフィルタ回路１４０の周波数特性を補正した後のチャージドメインフィルタ回路２２０の周波数特性を示している。サンプリング周期ｔを１ｎｓとした場合、ＳＩＮＣフィルタ回路１４０は１ＧＨｚ付近に急峻なノッチを生じている。そして、ＢＰＦ２６０は５００ＭＨｚ付近に中心周波数がある。
【０１０９】
そして、ＳＩＮＣフィルタ回路１４０の周波数特性をＢＰＦ２６０で補償することによって、符号２７４のように、およそ４００ＭＨｚ付近まで平坦な周波数特性を持てるようになる。
【０１１０】
なお、本実施形態においては、ＳＩＮＣフィルタ回路１４０の各キャパシタと、ＢＰＦ２６０の各キャパシタとの容量比は１：０．１に設定した。キャパシタの容量比を１：０．１に設定することで、チャージドメインフィルタ回路２２０は、図９の符号２７４に示したような平坦な部分を有する周波数特性を得ることができる。
【０１１１】
以上説明したように、本発明の第２の実施形態に係るチャージドメインフィルタ回路によっても、第１の実施形態に係るチャージドメインフィルタ回路同様に、広帯域の信号を通過させる際に、高域成分が減衰せず、信号を劣化させずに伝送することができる。
【０１１２】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【０１１３】
例えば、上記実施形態では、中心周波数が１／４ｔおよび１／２ｔの周波数特性を有するバンドパスフィルタをＳＩＮＣフィルタ回路の後段に接続することで、ＳＩＮＣフィルタ回路の周波数特性を補償していたが、本発明はこれに限られない。例えば、中心周波数が１／８ｔの周波数特性を有するバンドパスフィルタをＳＩＮＣフィルタ回路の後段に接続して、ＳＩＮＣフィルタ回路の周波数特性を補償してもよい。
【０１１４】
また、例えば、上記実施形態にでは、４つのキャパシタと３つのスイッチによってＳＩＮＣフィルタ回路を構成していたが、本発明は係る例に限られない。また、第１の実施形態では４つのキャパシタと４つのスイッチによって、第２の実施形態においては２つのキャパシタと２つのスイッチによってバンドパスフィルタを構成していたが、本発明は係る例に限られない。また、スイッチの端子の数も４つに限られない。
【図面の簡単な説明】
【０１１５】
【図１】本発明の第１の実施形態に係るＢＰＦの構成について説明する説明図である。
【図２】同実施の形態におけるＢＰＦの周波数特性について説明する説明図である。
【図３】同実施の形態におけるチャージドメインフィルタ回路について説明する説明図である。
【図４】同実施の形態におけるチャージドメインフィルタ回路の周波数特性について示す説明図である。
【図５】本発明の第２の実施形態に係るＢＰＦの構成について説明する説明図である。
【図６】同実施の形態におけるＢＰＦの周波数特性について説明する説明図である。
【図７】同実施の形態におけるチャージドメインフィルタ回路について説明する説明図である。
【図８】同実施の形態におけるチャージドメインフィルタ回路の動作を制御するクロック信号について説明する説明図である。
【図９】同実施の形態におけるチャージドメインフィルタ回路の周波数特性について示す説明図である。
【図１０】従来のＳＩＮＣフィルタ回路を構成するチャージドメインフィルタ回路の構成について説明する説明図である。
【図１１】クロック信号のタイミングチャートについて説明する説明図である。
【図１２】従来のＳＩＮＣフィルタ回路の周波数特性について説明する説明図である。
【符号の説明】
【０１１６】
１１０、１６０、２１０、２６０      ＢＰＦ
１２０、２２０      チャージドメインフィルタ回路
１３０      トランスコンダクタ
１４０      ＳＩＮＣフィルタ回路
１４０ａ      第１のＳＩＮＣフィルタ回路
１４０ｂ      第２のＳＩＮＣフィルタ回路
【図１】
2007324659.tif 000008
【図２】
2007324659.tif 000009
【図３】
2007324659.tif 000010
【図４】
2007324659.tif 000011
【図５】
2007324659.tif 000012
【図６】
2007324659.tif 000013
【図７】
2007324659.tif 000014
【図８】
2007324659.tif 000015
【図９】
2007324659.tif 000016
【図１０】
2007324659.tif 000017
【図１１】
2007324659.tif 000018
【図１２】
2007324659.tif 000019